(57)【要約】      （修正有）【課題】公知のゴングの欠点を解消し、特にデザインが単純でありかつその製造中にあらかじめ決定される振幅および振動期間を有する、時計の打撃ワークのためのゴングを提供する。【解決手段】時計の打撃ワークデバイスのためのゴング１に関し、ゴング１は、ゴングの本体を形成し、かつ動作に従って音を発生するために振動部材として作用するよう構成されたばねブレード１.１を備える。ばねブレード１.１は、その本体に形成された少なくとも１つの開口１.２を備える。【選択図】図３ｂ
2014081374.tif 000002
【特許請求の範囲】
【請求項１】
時計の打撃ワークデバイスのためのゴング（１）であって、前記ゴング（１）は、ばねブレード（１.１）であって、前記ゴングの本体を形成し、かつ作動に従って音を発生するために振動部材として機能するよう構成された、ばねブレード（１.１）を具備してなり、前記ゴング（１）の前記ばねブレード（１.１）は、少なくとも部分的に円弧の形状を有する巻線状のワイヤから構成され、前記ばねブレード（１.１）は、その本体に形成された少なくとも１つの開口（１.２）を具備してなることを特徴とするゴング。
【請求項２】
前記ゴング（１）の前記ばねブレード（１.１）の前記本体に形成された少なくとも１つの開口（１.２）は、貫通開口であることを特徴とする請求項１に記載のゴング。
【請求項３】
前記ゴング（１）の前記ばねブレード（１.１）の前記本体に形成された少なくとも１つの開口（１.２）は、止り穴であることを特徴とする請求項１または請求項２に記載のゴング。
【請求項４】
前記ゴング（１）の前記ばねブレード（１.１）の前記本体に形成された少なくとも１つの開口（１.２）は、変更可能な長さの長方形形状を有することを特徴とする請求項１から請求項３のいずれか一項に記載のゴング。
【請求項５】
前記ゴング（１）の前記ばねブレード（１.１）の前記本体に形成された少なくとも１つの開口（１.２）は、前記ばねブレード（１.１）の作動平面上に形成されることを特徴とする請求項１から請求項４のいずれか一項に記載のゴング。
【請求項６】
前記ゴング（１）の前記ばねブレード（１.１）の前記本体に形成された少なくとも１つの開口（１.２）は、前記ばねブレード（１.１）の作動平面に交差する平面上に形成されることを特徴とする請求項１から請求項５のいずれか一項に記載のゴング。
【請求項７】
前記ゴング（１）の前記ばねブレード（１.１）の前記本体に形成された少なくとも１つの開口（１.２）は、前記ばねブレード（１.１）の前記本体の材料以外の材料（１.３）の追加によって少なくとも部分的に充填されることを特徴とする請求項１から請求項６のいずれか一項に記載のゴング。
【請求項８】
前記開口（１.２）の充填のために使用される前記他の材料は、金、銀、プラチナまたは金属合金から群から選択されることを特徴とする請求項７に記載のゴング。
【請求項９】
前記ゴング（１）の前記ばねブレード（１.１）の前記本体に形成された少なくとも１つの開口（１.２）は、切断またはアブレーションレーザ（６）を用いて、放電加工によって、マイクロマシニングによって、またはウォータージェットによって加工されることを特徴とする請求項１から請求項８のいずれか一項に記載のゴング。
【請求項１０】
少なくとも１つの慣性ブロック（１.４）が、前記ゴング（１）の前記ばねブレード（１.１）に取り付けられることを特徴とする請求項１から請求項９のいずれか一項に記載のゴング。
【請求項１１】
前記ゴング（１）の前記ばねブレード（１.１）の前記本体の断面は、実質的に円形、長円形、矩形または多角形であることを特徴とする請求項１から請求項１０のいずれか一項に記載のゴング。
【請求項１２】
前記ゴング（１）の前記ばねブレード（１.１）の前記本体の前記断面の直径は、０.２ｍｍから１.２ｍｍの範囲にあり、好ましくは０.４ｍｍから０.８ｍｍの範囲にあることを特徴とする請求項１１に記載のゴング。
【請求項１３】
前記ゴング（１）の前記ばねブレード（１.１）の前記本体は、金属材料、例えばスチールから製造されることを特徴とする請求項１から請求項１２のいずれか一項に記載のゴング。
【請求項１４】
請求項１から請求項１３のいずれか一項に記載のゴングを備えることを特徴とする時計。
【請求項１５】
前記時計は、メカニカル時計であって、特に打撃ワーク、アラーム、警報、および／または繰り返し機構を備える腕時計であることを特徴とする請求項１４に記載の時計。
【発明の詳細な説明】
【技術分野】
【０００１】
本発明は、時計の打撃ワークデバイスのためのゴングに関するものであり、このゴングはばねブレードを備え、ばねブレードは、ゴングの本体を形成し、かつ作動に従って音を発生させるために振動要素として機能するよう構成されている。
【背景技術】
【０００２】
このタイプのデバイスはその原理が昔から知られており、打撃ワーク時計は、夜中にまたは暗闇で現在の時刻に関する聴覚性の情報を提供することができるため、昔から一般的である。暗闇の中でさえも時刻を十分読むことを可能にするラジウムや蛍光性ダイアルおよびダイアルを照らすための他の手段の到来により、時計の構造、製造および使用が容易となり、打撃ワーク機構の組み込みは、その製造に必要な時計学的技術と同様に対応するムーブメントの複雑化が原因となり、最高級の時計のための課題となった。打撃ワーク機構の製造、特にゴングの製造は、わずかにだが依然として最近まで発展させられており、かつ製造される打撃ワークウォッチの音の変化をもたらす主に経験的なノウハウに基づいている。
【０００３】
概して時計の打撃ワーク機構は、少なくとも１つのゴングとハンマーとから形成される。ハンマーは、その作動に従ってゴングを振動させるためにゴングを打撃する。多くの場合ゴングは、時計のダイアルに平行な面上への配置によって時計のムーブメントを包囲するのに有利なように、円弧の形態を有する。ゴングは一般的に巻線状のワイヤによって形成される。ワイヤの一端は、それ自体が時計のプレートに強固に取り付けられるブロム止め金具(blom stud)に固定され、その一方でワイヤの他端はおおむね自由なままにされる。いくつかの実施形態において、ブロム止め金具は、音の伝達を促進させるために中間部に連結されている。そのためゴングは、共振器として作動し、かつブロム止め金具は、ゴングの振動を時計の面に伝達し、それにより音波を発散できる。音波は、発生された音の形態で使用者に聞き取られる。
【０００４】
通常、打撃ワーク時計は、アワーゴングとミニッツゴングとの２つのゴングを備えるが、チャイムという名前で知られる３つまたは４つのゴングを備えてもよく、また、さらに多くのゴングを備えてもよい。対応する従来のゴングは、発生する音に差をつけるために、主にその直径および長さにおいて異なっており、例えばアワーゴングの深さおよびミニッツゴングの高さにおいて異なっている。
【０００５】
所望の音を発生させるために、特にその音調、その振動数成分、および時計内に存在する他のゴングによって発生する音と比較した場合のその差異に関して、振幅、振動期間およびゴングの長さを注意深く調節しなければならない。実際に、ゴングの剛性が大きすぎる場合、ゴングは十分に振動せず、一方でゴングがやわらかすぎる場合、その発生した音は満足できるものにはならない。
【０００６】
こうした問題はごく最近になって時計学的産業においてより詳細に研究されており、振動数成分があらかじめ決定された音を発生するゴングを発展させるために、実際にあまり多くはない経験的な取り組みが明らかとなっている。
【０００７】
実際に、音楽的な音のスペクトラムはおおむね基本周波数と、第１の調波(first harmonic)と、基本周波数の整数の倍数であるいくつかの調波とからなる。楽器によって発生する音は、基本周波数の整数倍ではない複数の振動数（いわゆる部分周波数）も含み得る。時計学的分野および打撃ワーク機構のゴングに関して、ゴングの振動、ひいては発生する音の振動数成分は、一般的に多数の部分周波数を含む。特に、打撃ワークの作動中に知覚される基本振動数は、ゴング自体の第１の特定の振動数に対応しない。以下では、基本周波数との語は知覚される音調（音の高さ）を意味する。このように音調は、ゴングの振動挙動に含まれるスペクトルの成分と、音の発生源における波動伝搬の連鎖において当該成分と関連する要素と、の組み合わせに起因する。
【０００８】
音における部分周波数の存在は、部分周波数の数とスペクトラムにおける部分周波数のさまざまな位置とに基づいて心地よく感じられたりあるいは不快に感じられたりするために、人間によって知覚可能である。さまざまな調波および部分周波数によって形成されるスペクトラム全体は、人間によって知覚されるように音の音調を規定する。加えて、音に対する人間の知覚は、部分周波数の数およびその位置だけでなくその振幅にも左右される。これは、発生する音に対する人間の知覚に関して、不協和音を生じる可能性がある一方でハーモニーをもたらすこともある。全体的には、３つの第１の部分周波数が音調を決定するのに寄与し、かつ後続の部分周波数が、一般的に豊かさや美しさあるいは音色と呼ばれる音質を決定すると考えられる。
【０００９】
特に、ゴングによって発生する音の振動数成分と、そして調波の周波数位置と部分周波数とは、ゴングの選択される材料（つまり物理的特性）によってかつゴングの選択される形状によって影響され得る。ゴングの所定の形状に関して、材料の選択は、知覚される基本周波数の位置および音色の変化させることができる。調波の位置はゴングの振動を変化させる。結果的に１つ以上の振動形態の減衰に影響を与えることができる。この場合において部分周波数の周波数分布は常に同じ法則に従う。その部分に関するゴングの幾何学的形状の選択は、例えばゴングの剛性を変化させることによって、部分周波数同士の比率を変更できる。
【００１０】
こうした事実に基づき、上記取り組みは、特にその音調および周波数成分に関して、あらかじめ決定された良好な音を発生するゴングの製造を可能にするために時計学産業によってここ数年にわたって理解されており、ゴングの材料の選択およびその幾何学的形状の選択のいずれかに関連する。
【００１１】
例えば特許文献１は、ゴングの製造のために金または銀などの高価な材料を使用することを提案している。これは、その質量密度に対する弾性係数に関するこれら材料の物理的特性に基づいており、そのため部分周波数の数が増大された音の発生が可能である。なお上述のように、材料の選択は、互いに対する複数の部分周波数の周波数を分布できず、そのため、それだけですべてのゴングの所望の特性を達成する可能性の低いパラメータが残される。
【００１２】
その結果として、さらなる取り組みは、例えば特許文献２に開示されるように、ゴングの形状の変更へと方向付けられた。そうしたゴングは、例えば連続的にあるいはその断面において増減する連続部によって、ゴングの長手方向軸線に沿って少なくとも部分的に変更可能な断面を有する。これにより音の質は向上できるが、そうしたゴングの製造はより複雑化されたままであり、工業規模での製造に関して適していない。
【００１３】
特定のゴングの形状を目標とした取り組みの他の例が特許文献３に開示される。特許文献３で提案されるようなゴングは、少なくとも２つの異なる断面部分を有する中間部を備える。このゴングは、特許文献２と同様の原理に基づいており、このゴングの断面の変形例は、一見したところ対応するゴングの実施形態の単純化によるものである。なお、異なる断面部分は、異なる直径を有する金属ワイヤによって形成されて、ろう接またははんだ付けによって取り付けられるため、この提案が、製造工程の単純化と同時に発生する音の向上を実現するかどうかは明らかではない。実際に、この提案は、ろう接またははんだ付け方法に関してより複雑な製造工程をもたらすか、あるいは得られるゴングの質を低減させるだろう。
【００１４】
そのため、現在公知の従来の解決法は、対応するゴングの製品を許容できなくするほど複雑な構造を有するか、あるいは発生する音の質に関して要求される特性すべてを有するゴングは実現できない。
【先行技術文献】
【特許文献】
【００１５】
【特許文献１】欧州特許第２  １０７  ４３７号明細書
【特許文献２】米国特許第７，７４６，７３２．号明細書
【特許文献３】中国特許第７０２  １４５号明細書
【発明の概要】
【発明が解決しようとする課題】
【００１６】
そのため、依然として、上記タイプの打撃ワークデバイスのためのゴングであって、その構造が相対的に単純であり、かつ所定の状況下で作動に従って発生するゴングの振動の振幅および振動期間がゴングの製造中に注意深く調整されることにより、特にその音調およびその周波数成分に関してあらかじめ決定される音を良好に発生できるゴングを提供する必要性が存在する。加えて、そうしたゴングは、発生する音の音調および振動数成分に関して所定の性質を有することができるだけでなく、時計内に存在する既存の他のゴングによって発生される音と比較した場合に発生する音の差を調節できる、つまり所定の打撃ワーク機構に設けられたさまざまなゴング間のハーモニーを調節でき、あるいはさらに一般的に対応する時計の購入者である使用者個人の希望を考慮して調節できることが望まれている。これらの目的は、製造コストをリーズナブルにすることを確実にしかつ公知の打撃ワーク機構への組み込みを簡単にしつつ、実施されるべきである。
【００１７】
したがって本発明の目的は、公知のゴングの欠点を解消し、かつ上記利点を提供することであり、特にデザインが単純でありかつその製造中にあらかじめ決定される振幅および振動期間を有する打撃ワークの製造を可能にし、それによってあらかじめ調節された、音調、振動数成分、他のゴングと比較した場合の差異とを有する音を発生可能にすることである。
【課題を解決するための手段】
【００１８】
このため、本発明は、上記タイプのゴング、特にメカニカル時計の打撃ワーク機構への組み込みのための、特許請求の範囲の請求項１で特定される特徴部によって特徴づけられるゴングと、そうしたゴングを備える対応する時計とを提案する。特に、本発明に基づくゴングのばねブレードは、その本体内部に形成された少なくとも１つの開口を備える。これら開口は、貫通開口あるいは止り穴とすることができる。これら開口の形状およびサイズは、開口が配置される平面において、要求に応じて適応可能である。これら開口は、好ましくは、切断レーザまたはアブレーションレーザによって、放電加工によって、マイクロマシニングによって、もしくはウォータージェットによって、あるいは他の適切な工程によって加工される。
【００１９】
本発明に基づくゴングの好ましい実施形態において、これら開口の少なくとも１つが、ばねブレードの本体を形成する材料以外の材料を追加することによって少なくとも部分的に充填可能である。充填材料は例えば金、銀、プラチナまたは金属合金から構成されてもよい。
【００２０】
ゴングのばねブレードの本体の断面の形状およびゴング自体の形状、さらにはばねブレードの本体の材料は要求に応じて選択可能である。
【００２１】
こうした方法により、ゴングの幾何学的形状および材料組成は局所的に変更され、それにより、作動に従ってゴングの振動挙動に影響を与え得るゴングの剛性が変化させられる。このように本発明に基づくゴングは、ゴングの形状変更によって、必要な場合にはゴングを形成する材料の変更との両方によって要求に適応できるため、高められた精度レベルでゴングによって発生される音に影響を与えることができる。
【００２２】
さらなる特徴部および対応する利点については従属請求項と以下の発明の詳細な説明においてより詳しく述べる。
【図面の簡単な説明】
【００２３】
添付の図面は本発明に基づくゴングのいくつかの実施形態を概略的にかつ例示的に図示する。
【図１ａ】図１ａは、時計のフレームに取り付けられたゴングとハンマーとを備える打撃ワーク機構の従来の構造の概略平面図である。
【図１ｂ】ブロム止め金具に固定された状態のゴングが２つ重なっている実施形態の斜視図である。
【図２ａ】本発明に基づく打撃ワーク機構のためのゴングであって、ゴングがその本体内部に開口を備える実施形態を上方から見た概略的かつ例示的な斜視図である。
【図２ｂ】本発明に基づく打撃ワーク機構のためのゴングであって、ゴングがその本体内部に開口を備える実施形態を上方から見た概略的かつ例示的な斜視図である。
【図３ａ】本発明に基づく打撃ワーク機構のためのゴングであって、ゴングがその本体内部に開口を備え、その少なくとも１つがゴング本体の材料とは異なる材料で充填された実施形態を図２ａおよび図２ｂと同様に上方から見た概略的かつ例示的な斜視図である。
【図３ｂ】本発明に基づく打撃ワーク機構のためのゴングであって、ゴングがその本体内部に開口を備え、その少なくとも１つがゴング本体の材料とは異なる材料で充填された実施形態を図２ａおよび図２ｂと同様に上方から見た概略的かつ例示的な斜視図である。
【図４ａ】本発明に基づく打撃ワーク機構のためのゴングであって、ゴングが、その本体内部に開口とゴングのばねブレードに取り付けられた少なくとも１つの慣性ブロックとを備えた実施形態を上方から見た概略的かつ例示的な斜視図である。
【図４ｂ】本発明に基づく打撃ワーク機構のためのゴングであって、ゴングが、その本体内部に開口とゴングのばねブレードに取り付けられた少なくとも１つの慣性ブロックとを備えた実施形態を上方から見た概略的かつ例示的な斜視図である。
【図４ｃ】本発明に基づく打撃ワーク機構のためのゴングであって、ゴングが、その本体内部に開口とゴングのばねブレードに取り付けられた少なくとも１つの慣性ブロックとを備え、開口の少なくとも１つがゴング本体の材料とは異なる材料で充填された実施形態を上方から見た概略的かつ例示的な斜視図である。
【図５】切断レーザを用いて本発明に基づく打撃ワーク機構のためのゴングの製造中の一ステップを示す基本的な図である。
【発明を実施するための形態】
【００２４】
一例としてのいくつかの本発明の実施形態を図示する図面を参照して本発明について以下に説明する。
【００２５】
本発明の打撃ワークゴングは、時計、特にメカニカル腕時計に組み込まれる。図１ａの概略平面図は、従来の打撃ワーク機構の構造を図示する。この打撃ワーク機構は、時計のフレームに取り付けられた、２つのゴング１ａ，１ｂと、２つの対応するハンマー２ａ，２ｂと、を備える。ゴング１ａ，１ｂのそれぞれが、その一端において、ゴング支持体として機能しかつ時計のプレート４にそれ自体が取り付けられるブロム止め金具３に固定される。時計は、図１ａでは例示的に腕時計として図示される。各ゴング１ａ，１ｂの他端は自由となっている。各ゴング１ａ，１ｂは、時計のダイアルに平行な面上に配置され、プレート４の上方に配置され、かつ時計のムーブメント回り（簡略化のために図１ａには図示せず）の円弧に沿って延在する。各ゴング１ａ，１ｂは、好ましくは、前記円弧を形成する巻線状の金属ワイヤによって形成される。一度打撃ワーク機構がプッシュピース５を用いて巻かれると、打撃ワークが解放される。このため、例えばアワーハンマー２ａおよびミニッツハンマー２ｂとして機能しかつ場合によっては異なる質量を有するハンマー２ａ，２ｂは、打撃ワーク機構によって交互に作動させられる。この機構は本発明の対象物を形成しないため本明細書では説明しない。その作動中に、各ハンマー２ａ，２ｂは典型的には、対応するゴング１ａ，１ｂの平面上で部分的な回転をしてゴングを打撃し、それによりゴング１ａ，１ｂを振動させる。続いて、プレート４へのブロム止め金具３を介したゴング１ａ，１ｂの振動の伝播が音波を発生し、そのうちのある程度は人間が聞き取れる範囲にある。
【００２６】
図１ｂには、ブロム止め金具３に固定された状態の２つの重ね合わされたゴングを備える実施形態の斜視図を示す。図１ｂから明らかなように、ゴング１ａ，１ｂは、例えばその円弧において同一の直径を有してもよく、かつゴングの振動中にこれらゴングが接触しないことを確実にする安全距離をおいて２つの重なった平面上に配置されてもよい。あるいは、対応する円弧によって形成されるこれらゴングの直径は、図１ａに示されるように２つのゴングを同一平面上に配置できるように、異なっていてもよい。概して図１ａおよび図１ｂに示されるような打撃ワーク機構の従来の構造および対応するゴング１ａの従来の構造から続いて、本発明のゴング１は、部分的な円弧または線形発振器に沿った直線形態あるいはさらに別の特定の幾何学的形状であるような形状を有してもよい。
【００２７】
実際に、上方からの斜視図である図２ａおよび図２ｂが本発明に基づく打撃ワーク機構のためのゴングの２つの実施形態を概略的にかつ例示的に示すように、本発明に基づくゴング１は、ばねブレード１.１を備える。ばねブレード１.１は、ゴング１の本体を形成し、かつ例えばハンマー２によって作動に従って音を発生させる振動部材として機能するよう構成されている。特に、そうしたゴング１は、ばねブレード１.１が、その本体内部に形成される少なくとも１つの開口１.２を備えるという事実により特徴付けられる。
【００２８】
図２ａに示される第１の実施形態において、ゴング１は２つの長方形の貫通開口１.２を有する。貫通開口１.２は、その略中央に、かつゴング１のばねブレード１.１を形成する円弧に沿ってその４分の１の端部において、配置されている。２つの開口１.２は、ゴング１のばねブレード１.１の長手方向軸線に沿ってほぼ同一の長さを有するが、これは必ずしもなくてはならないものではなく、これら開口のそれぞれの長さは必要に応じて選択される。同様に、これら開口１.２の幅は図示された例では同一であるが、これも必ずしもなくてはならないものではない。概して、ばねブレード１.１の本体に形成された開口１.２の幅は、ばねブレード１.１の直径の約１０％から８５％、好ましくは１０％から４０％の範囲内で、また必要に応じて選択されてもよい。図２ｂに示される第２の実施形態において、ゴング１は、３つの長方形の貫通開口１.２を有し、３つの開口のうち２つは、ゴング１の第１の実施形態において形成された開口に実質的に対応し、かつ３つ目の開口は、とても短い長さを有しており、ゴング１のうちのブロム止め金具３に結合される端部の付近に配置される。この領域は、ゴング１をブロム止め金具３に取り付けた結果として生じるものであり、慣習的にゴングのヒール(heel)として称される。少なくとも１つのそうした開口１.２を備えるゴング１は、あらかじめゴング１の振動挙動を決定するために、その幾何学的形状を局所的にかつ局所的に変更可能である点において利点を有する。加えて、開口１.２は、ゴング１の振動中に発振表面を増大させる。それはまた、所望の音調を有する音の生成および所望のゴングの製造に好適なものであってもよい。このように開口１.２を形成することによってゴング１のばねブレード１.１の目標とする変更が、振動の振幅およびその期間に影響を与えることが可能となり、ひいては製造段階中（いわゆるゴング１のチューニング中）に、音調を有する音の生成と、周波数成分と、他のゴングとの比較した場合の差異とを決定可能となる。
【００２９】
上記２つの実施形態において、ゴング１における少なくとも１つの開口１.２は貫通開口であるが、図示されないゴング１の他の変形例における少なくとも１つの開口１.２を止り穴とすることができる。同様に、止り穴１.２が、特にばねブレード１.１の長手方向軸線に沿って、様々な深さを有するようにすることもできる。さらに、必須ではないため特にすべての可能な組み合わせについての図示および説明は省略するが、ばねブレードは、開口１.２の数に応じて１つ以上の開口１.２および／または１つ以上の止り穴１.２を備えてもよい。
【００３０】
上記説明から明らかなように、それぞれの開口１.２の長さおよび深さは要求応じて選択できるため、これら開口１.２は、与えられるゴングを考慮して特定の要求に応じて大まかに選択され得るさまざまな形状を有してもよい。なお、図２ａおよび図２ｂに図示されるような変更可能な長さを含む長方形形状は、開口１.２の好ましい形状のうちの１つである。ゴング１のばねブレード１.１の長手方向軸線に沿った各開口１.２の位置についても、この位置が任意のゴング１に関する要求に基づいて所望されるように選択されるという意味において、同様の所見が適用される。
【００３１】
最終的に、ゴング１のばねブレード１.１によって形成される本体に形成される開口１.２の配向に関して、この開口は、ゴング１の振動中にゴング１の作動平面において（例えば図１ａおよび図１ｂに図示される実施例ではダイアルまたはプレート４の平面に平行な面において）加工できる。ゴングに形成された各開口は、図２ａおよび図２ｂに図示される本発明に基づくゴング１の実施形態におけるように、ゴング１の作動平面に交差する平面上に形成することもできる。こうした２つの変形例は、開口１.２の配向に関して、開口の幅が長手方向軸線回りで対称的に構成されかつ開口が貫通開口である場合に、ゴング１の振動中にゴング１のばねブレード１.１の長手方向軸線に対して中立となるという利点を有する。したがって、これら開口は、ゴングの振動中にゴングの長手方向軸線のコースを最小となるように変化させるだけである。これら開口１.２を、ゴング１の振動中のゴング１の作動平面に対してまた０°または９０°以外の角度で形成することが考えられるが、例えば３０°または４５°の角度でも、所望の振動挙動を得ることが可能ならば、開口１.２を３０°または４５°の角度で形成することも考えられる。
【００３２】
図３ａおよび図３ｂには、図２ａおよび図２ｂと同様に上方からの斜視図によって本発明に基づく打撃ワーク機構のためのゴングの２つの他の実施形態が概略的にかつ例示的に図示される。図３ａに図示されるゴング１は、ばねブレード１.１の本体において開口１.２を備える。この開口は、ゴング１のばねブレード１.１を形成する材料以外の材料１.３で充填される。図３ｂに一例として示されるゴング１は、複数の開口１.２を備えており、そのうちの１つが、ゴング１のばねブレード１.１を形成する材料とは異なる材料１.３で充填される。開口の充填材１.３は、２つの他のパラメータによって、つまり充填材料の剛性およびその質量密度によって、ゴング１の剛性および重量に対して局所的にかつ正確にさらに影響与えることができる。したがって本発明に基づくゴング１の振動挙動は、その幾何学的形状およびその物理的特性の両方によって、つまり本体の材料と充填材料１.３とによって、パラメータ化できる。
【００３３】
加えて、ゴング１のばねブレード１.１の本体に形成される開口１.２のそれぞれは、図３ａおよび図３ｂに図示されるようにゴング１の外面に対して完全にかつ均質となるように充填される代わりに、ゴング１の本体の材料以外の材料１.３の追加によって部分的にのみ充填することも可能である。また材料１.３の追加は、開口１.２によって形成されるキャビティの容積をわずかに超えてはみ出してもよい。開口を充填するために使用される前記他の材料１.３は、好ましくは金、銀、プラチナまたはそのヤング率および密度が調整可能な金属合金である。開口１.２への充填材料１.３の追加は、例えば従来のアセンブリによって、あるいは材料膨張法または他の同等の材料配置法によって実施可能である。概して本明細書において、充填材料の配置およびその性質に関し、必ずしもその組み合わせについて図示または開示をしなくても実施可能であることを留意されたい。
【００３４】
図４ａから図４ｃには、図２ａ、図２ｂ、図３ａおよび図３ｂと同様に上方からの斜視図によって、本発明に基づく打撃ワーク機構のためのゴングの複数のさらなる実施形態が概略的にかつ例示的に図示される。図４ａに基づく実施形態のゴング１は、ゴング１のばねブレード１.１の本体における開口１.２と、ゴング１のばねブレード１.１に取り付けられた慣性ブロック１.４とを備える。図４ｂに図示される実施形態のゴング１は、開口と、ゴング１に取り付けられた異なる質量を有する２つの慣性ブロック１.４とを備える。図４ｃに基づく実施形態のゴング１は、そのうちの１つが本体の材料以外の材料１.３で充填された複数の開口１.２と、ゴング１のばねブレード１.１に取り付けられた慣性ブロック１.４とを備える。また、慣性ブロック１.４の位置およびサイズは必要に応じて選択される。概して、本発明に基づくゴング１がゴング１のばねブレード１.１の本体に形成された少なくとも１つの開口１.２を備え、開口１.２が本体の材料以外の材料１.３で充填されてもよく、また本発明に基づくゴング１がゴング１のばねブレード１.１に取り付けられた少なくとも１つの慣性ブロック１.４も備え得ることを当業者は理解するだろう。
【００３５】
開口１.２は、図５に概略的に示されるように切断レーザ６を用いて、ゴング１のばねブレード１.１の外面から加工されることが好ましい。なお開口１.２は、放電加工、マイクロマシニング、ウォータージェット、あるいは他の同等の材料除去処理によって形成されてもよい。ゴング１のばねブレード１.１の表面上に位置する材料からなる特別な構造物を形成するために、アブレーションレーザまた他の適切な方法を使用することも考えられる。概して、開口１.２は、キャビティを形成することによってゴング１のばねブレード１.１の外面から加工される。キャビティの深さは、ゴング１のばねブレード１.１の長手方向軸線に実質的に直交するよう方向付けられ、かつキャビティは当該長手方向軸線に沿って延在する。
【００３６】
ゴング１のばねブレード１.１に関し、その断面は実質的に円形、楕円形、矩形あるいは多角形であってもよい。一般的に、製造を簡単にするために、ゴング１のばねブレード１.１としてワイヤが選択される。このワイヤの直径は通常は０.２ｍｍから１.２ｍｍの範囲にあり、好ましくは０.４ｍｍから０.８ｍｍの範囲にある。また上記のように、時計の打撃ワーク機構の従来の構造体において、ゴング１は慣習的に少なくとも部分的に円弧の形態を有しかつ巻線状のワイヤから構成される。ゴング１のばねブレード１.１は、不完全な円形を形成するだけでもよいが、３６０°以上の円弧を形成してもよい。また上記のように、ゴング１のばねブレード１.１は、直線あるいは他の特定の形状を有することも可能であり、さらに、ばねブレードに形成される開口１.２は、ばねブレードの形状に関わらずばねブレード１.１の外面から加工できる。ゴング１のばねブレード１.１の本体の材料についても同様の所見が言える。なお、ゴング１は例えば焼戻しされたスチールなどの金属材料から製造されることが好ましい。
【００３７】
最後に、本発明が、本発明に基づくゴング１を備えるいかなる時計にも関連することを留意すべきである。特にメカニカル時計であり、具体的には打撃ワーク、アラーム、警報、および／または繰り返し機構あるいは他のゴングに必要な機構を備える腕時計であってもよい。
【００３８】
上述の本発明に基づくゴングの構造の詳細な説明を考慮すると、本発明に基づくゴングが、従来のものに比べてより簡単でありかつ単純であり、さらに多数の変形例において提供できかつさまざまな用途において使用できることは当業者には明確であろう。上記特徴部を有する打撃ワーク機構のためのゴングが顕著な次の利点、すなわち、振動時間と音量との比率を最良にするために、つまり人間の知覚に基づいて音を豊かに美しくするために、そうしたゴングの形状および材料組成を局所的にかつ正確に変更でき、それによりゴングの剛性に影響を与え、ゴングのチューニング中に、作動に従うゴングの振動挙動を決定することを可能にするという利点を有することは明らかだ。本発明に基づくゴングは、ゴングの形状の変更と（必要な場合には）ゴングを形成する材料の変更との両方によって要求に適応できるため、ゴングによって発生される音の精度のレベルが増大するよう影響を与えることができ、特に音色、振動数成分、さらに音の発生期間とに影響を与えることができる。そうしたゴングは、その中にゴングが組み込まれる時計の他の部品とともに、特に打撃ワーク機構およびムーブメントの載置部とともに、従来の様式で協働でき、そのため上記機構は、特別な調整を必要とせずに、既存の時計に容易に組み込むことができる。特に本発明に基づくゴングは、対応する従来のゴングと同じサイズのものからなるため、従来の打撃ワーク機構の構造の場合、ゴングの断面における直径またはゴングの円弧の直径において、材料の追加が開口に形成されたキャビティの容積を超えずかつ慣性ブロックが使用されないならば、ゴングの外側寸法の変更を要求しない。この利点は、ゴングの物理的なサイズの増加が、ゴングの振動中の動作に起因してウォッチケース内に占める容積をさらに大きな増加を結果的にもたらし得る点において非常に関心をひくものである。加えて、ゴングの相対的に単純な構造により、これら利点は、従来の同様のゴングと比較してその占める容積が低減されることによって得られ、かつゴングによって発生する音に関する所望の品質と製造工程の本来の産業的な実現可能性との両方を提供できるゴングを製造するための利用可能な方法を含むことによっても得られる。本発明に基づくゴングのさらなる利点が、打撃ワーク、繰り返しウォッチ、アラーム、警報、振り子、計時機構などを有するすべてのタイプの時計に適用可能であるという事実により成ることに留意されたい。同様に本発明は、打撃によって、特にハンマーの打撃によって作動するよう構成されたゴングに限定されず、例えばメカニカルミュージックボックスに使用されるばねブレードのための、摩擦によって作動するばねブレードのためにも使用できる。
【符号の説明】
【００３９】
１  ゴング
１.１  ばねブレード
１.２  開口
１.３  材料
１.４  慣性ブロック
３  ブロム止め金具
４  プレート
５  プッシュピース
６  切断レーザ
【図１ａ】
2014081374.tif 000003
【図１ｂ】
2014081374.tif 000004
【図２ａ】
2014081374.tif 000005
【図２ｂ】
2014081374.tif 000006
【図３ａ】
2014081374.tif 000007
【図３ｂ】
2014081374.tif 000008
【図４ａ】
2014081374.tif 000009
【図４ｂ】
2014081374.tif 000010
【図４ｃ】
2014081374.tif 000011
【図５】
2014081374.tif 000012
【外国語明細書】
2014081374000001.pdf